(57)【特許請求の範囲】
【請求項１】
ユーザ機器と接続関係を持つソース基地局が、当該ソース基地局で使用される測定ギャップ設定を確定することと、
前記ソース基地局が、前記ユーザ機器と接続関係を持つターゲット基地局と前記ユーザ機器に前記測定ギャップ設定を送信して、前記測定ギャップ設定に基づいてデータ伝送を行うように前記ターゲット基地局と前記ユーザ機器に指示することと、
前記ターゲット基地局が、プロトコルの規定に従い、データ伝送停止の起点を前記測定ギャップ設定の測定ギャップ内で確定することと、
前記ターゲット基地局が、前記測定ギャップ毎に、前記ユーザ機器との間のデータ伝送を前記起点からの所定時間内で停止させることと、
前記ターゲット基地局が、前記ソース基地局で使用される測定ギャップ設定に基づいて、当該ターゲット基地局で使用される測定ギャップ設定をセットして前記ソース基地局とユーザ機器に送信することを含むことを特徴とするデータ伝送制御方法。
【請求項２】
前記ソース基地局がＭｅＮＢ、前記ターゲット基地局がＳｅＮＢであり、又は、前記ソース基地局がＳｅＮＢ、前記ターゲット基地局がＭｅＮＢであることを特徴とする請求項１に記載のデータ伝送制御方法。
【請求項３】
ユーザ機器と接続関係を持つターゲット基地局が、前記ユーザ機器と接続関係を持つソース基地局で使用される測定ギャップ設定を受信することと、
前記ターゲット基地局が、前記測定ギャップ設定に基づいてデータ伝送を行うことと、
前記ターゲット基地局が、前記ソース基地局で使用される測定ギャップ設定に基づいて、当該ターゲット基地局で使用される測定ギャップ設定をセットして前記ソース基地局とユーザ機器に送信することを含み、
前記ターゲット基地局が、前記測定ギャップ設定に基づいてデータ伝送を行うことは、
前記ターゲット基地局が、プロトコルの規定に従い、データ伝送停止の起点を前記測定ギャップ設定の測定ギャップ内で確定することと、
前記ターゲット基地局が、前記測定ギャップ毎に、前記ユーザ機器との間のデータ伝送を前記起点からの所定時間内で停止させることと
を含むことを特徴とするデータ伝送方法。
【請求項４】
前記起点は、第１起点と第２起点を含み、
前記ターゲット基地局が、前記測定ギャップ毎に、前記ユーザ機器との間のデータ伝送を、前記第１起点からの所定時間内及び前記第２起点からの所定時間内で停止させることを特徴とする請求項３に記載のデータ伝送方法。
【請求項５】
前記第１起点と第２起点は、それぞれ前記測定ギャップの開始時刻と終了時刻であることを特徴とする請求項４に記載のデータ伝送方法。
【請求項６】
前記ターゲット基地局で使用される測定ギャップ設定は、前記ソース基地局で使用される測定ギャップ設定とは完全に同じく、又は一部同じであることを特徴とする請求項３に記載のデータ伝送方法。
【請求項７】
ユーザ機器と接続関係を持つソース基地局で使用される測定ギャップ設定を受信するための受信ユニットと、
前記測定ギャップ設定に基づいて、当該測定ギャップ設定の機能しないサービスセルでデータ伝送を行うための処理ユニットと
を含み、
処理ユニットは、
プロトコルの規定に従い、データ伝送停止の起点を前記測定ギャップ設定の測定ギャップ内で確定し、
前記測定ギャップ設定の機能しないサービスセルで、前記測定ギャップ毎に、データ伝送を前記起点からの所定時間内で停止させ、
前記ソース基地局で使用される測定ギャップ設定に基づいて、前記ユーザ機器と接続関係を持つターゲット基地局で使用される測定ギャップ設定をセットして前記ソース基地局とユーザ機器に送信することを特徴とするデータ伝送装置。
【請求項８】
前記起点は、第１起点と第２起点を含み、
前記処理ユニットは
前記測定ギャップ設定の機能しないサービスセルで、前記測定ギャップ毎に、データ伝送を前記第１起点からの所定時間内及び前記第２起点からの所定時間内で停止させ、
前記第１起点と第２起点は、それぞれ前記測定ギャップの開始時刻と終了時刻である
ことを特徴とする請求項７に記載のデータ伝送装置。
【発明の詳細な説明】
【技術分野】
【０００１】
本願は、２０１５年０３月２１日に中国特許庁に提出された中国特許出願２０１４１０１０８４７３．３（発明の名称：「データ伝送及びその制御方法並びに装置」）の優先権を主張し、その全ての内容が援用により本願に取り込まれる。
【０００２】
本願は、通信技術分野に関し、特にデータ伝送及びその制御方法並びに装置に関する。
【背景技術】
【０００３】
ますます増加するフェムトセル、マイクロセル、中継ノードなど多くのローカルノードの配置により、マクロ基地局をメインとする従来のネットワークアーキテクチャーは、徐々に多種類基地局共存型のネットワークアーキテクチャーに進化し、多階層のネットワークカバーを提供する。当該多種類基地局共存型のネットワークアーキテクチャーでの関連性能改善のため、複数ｅＮＢ（ｅｖｏｌｖｅｄ  Ｎｏｄｅ  Ｂ）間の協同／集約を非理想的リンクで実現するネットワークアーキテクチャーが提案されている。当該アーキテクチャーにおいて、ユーザ機器ＵＥ（Ｕｓｅｒ  Ｅｑｕｉｐｍｅｎｔ）の一部の無線ベアラＲＢ（Ｒａｄｉｏ  Ｂｅａｒｅｒ）は、マスタｅＮＢ（Ｍａｓｔｅｒ  ｅＮＢ）の管轄下のＭＣＧ（Ｍａｓｔｅｒ  Ｃｅｌｌ  Ｇｒｏｕｐ）にあり、当該部分のＲＢが制御プレーンベアラのＳＲＢ（Ｓｉｇｎａｌｉｎｇ  Ｒａｄｉｏ  Ｂｅａｒｅｒ）とユーザプレーンベアラのＤＲＢ（Ｄａｔａ  Ｒａｄｉｏ  Ｂｅａｒｅｒ）を含み、且つプライマリセルＰＣｅｌｌ（Ｐｒｉｍａｒｙ  Ｃｅｌｌ）には物理上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）を有する。また、同一ＵＥの別の部分のベアラは、ＳｅＮＢ（Ｓｅｃｏｎｄａｒｙ  ｅＮＢ）の管轄下の（Ｓｅｃｏｎｄａｒｙ  Ｃｅｌｌ  Ｇｒｏｕｐ）にあり、且つ一つの特殊セル（ｓｐｅｃｉａｌ  ｃｅｌｌ）にＰＵＣＣＨを有する。当該アーキテクチャーにおいて、ＵＥが２つのｅＮＢの両方に接続されるため、ＤＣ（Ｄｕａｌ  Ｃｏｎｎｅｃｔｉｖｉｔｙ）と呼ばれる。ＵＥの異周波数測定の際に、ネットワークからＵＥに測定ギャップを設定する必要があるが、一部のセルに測定ギャップを設定するのに対し、他セルが正常に動作するのであれば、ＵＥによる測定時に、他セルのデータであっても、中断になることがある。
【０００４】
以下、関連技術を紹介する。
【０００５】
１）ＤＣ技術の紹介
図１に示す多階層ネットワークカバー環境において、ＭｅＮＢとＳｅＮＢの間では、非理想的なデータ／シグナリングインタフェースであるＸｎインタフェースが用いられ、ＵＥがＭｅＮＢとＳｅＮＢの両方で同時に動作できる。ＭｅＮＢに接続しているＵＥがＳｅＮＢ対応セルのカバー範囲に入ると、ＭｅＮＢは、信号強度又は負荷のバランスなどの考慮から、ＵＥの一部又は全てのデータ／シグナリングをＳｅＮＢに移転させて、ＳｅＮＢからのサービスを受けるようにする。よって、ＵＥのＭｅＮＢとＳｅＮＢ両方のリソースの同時使用、及び基地局間集約（ｉｎｔｅｒ−ｅＮＢ集約）が実現される。当該場面において、ＵＥの複数のＲＢは、それぞれＳＣＧセルとＭＣＧセルにある。なお、ＳｅＮＢに分離されるＲＢは、ＤＲＢ及び／又はＳＲＢを含んでもよい。
【０００６】
２）ＤＣアーキテクチャーの紹介
ＤＣアーキテクチャーのその１において、図２に示すように、ＵＥは、ＭｅＮＢとＳｅＮＢに独立なベアラを有し、独立したＰＤＣＰ（Ｐａｃｋｅｔ  Ｄａｔａ  Ｃｏｎｖｅｒｇｅｎｃｅ  Ｐｒｏｔｏｃｏｌ）実体を各ｅＮＢで有する。
ＤＣアーキテクチャーのその２において、図３に示すように、ＵＥは、ＭｅＮＢでの接続に独立なベアラを有してもよい。ＵＥのＳｅＮＢでの接続は、ＭｅＮＢの同一ＥＰＳ（Ｅｖｏｌｖｅｄ  Ｐａｃｋｅｔ  Ｓｙｓｔｅｍ）によるベアラの一部のデータをＳｅＮＢに分流させて伝送するが、当該ＥＰＳによるベアラのＰＤＣＰ実体が依然としてＭｅＮＢに存在し、ＳｅＮＢには独立したＲＬＣ（Ｒａｄｉｏ  Ｌｉｎｋ  Ｃｏｎｔｒｏｌ）実体が存在する。
【０００７】
３）測定ギャップ（Ｍｅａｓｕｒｅｍｅｎｔ  Ｇａｐ）
ＵＥによる異周波数測定の際に、現在のサービス周波数で正常にデータを送受信できない可能性があるため、ＵＥが異周波数測定を行うには、ネットワーク側から測定ギャップをＵＥに設定する必要があり、同時にＵＥのパケットロスにはならない。測定ギャップの設定は、以下の測定要求に従う。測定パターンによっては測定ギャップが設定される。例えば、パターン０の各測定ギャップは、６ｍｓであり、測定ギャップの繰返し周期は、４０ｍｓである。
【表１】
0006509247.tif 000002
【０００８】
４）ＵＥの受信機調整
ネットワークから複数のサービス周波数をＵＥに設定した場合に、ネットワークから活性化コマンドを通知してＵＥのサービス周波数を活性化することができる。ＵＥは、活性化コマンドを受信すると、受信機の調整を行う。受信機共有の場合に、受信機の調整により生じる中断時間は、５ｍｓであるが、ＵＥには複数の独立した受信機を有する場合に、当該調整により生じる中断時間は、１ｍｓである。ネットワークは、ＵＥの受信機調整時刻を把握しているため、ＵＥの受信機調整中にデータ伝送のスケジューリングを行わない。よって、ＵＥの受信機調整によるパケットロスが避けられる。しかしながら、ネットワーク側は、ＵＥの受信機タイプを把握していないため、５ｍｓのデータ中断時間で、プロトコルで規定された一定時間内にデータ伝送のスケジューリングを行わない。
【０００９】
５）ＤＣの測定ギャップ設定
ＵＥに基づく測定ギャップ設定：
ネットワークからＵＥに通知する測定ギャップ設定は、全てのサービス周波数で機能する。ＵＥは、測定ギャップ内において、全てのサービス周波数でのデータ送受信を中断する必要がある。
ｅＮＢ（又はセル群）に基づく測定ギャップ設定：
ネットワークからＵＥに通知する測定ギャップ設定は、一部のサービス周波数、例えばＳＣＧ又はＭＣＧで機能する。ＵＥは、測定ギャップ内において、これらの測定ギャップが設定された周波数のみでのデータ送受信を中断すればよい。
【００１０】
以上の記載をまとめると、ＤＣの場合に、ＵＥの測定ギャップ設定時に生じる中断問題を解決する方式がいまだにない。仮にＭｅＮＢからＵＥのＭＣＧに一つの測定ギャップ（ｍｅａｓｕｒｅｍｅｎｔ  ｇａｐ）を設定し、又は、ＳｅＮＢからＵＥのＳＣＧに別のｍｅａｓｕｒｅｍｅｎｔ  ｇａｐを設定すると、ＵＥは、一つのｍｅａｓｕｒｅｍｅｎｔ  ｇａｐにおいて測定するとき、測定の開始と終了時刻で受信機の周波数調整を行う。このとき、ＭＣＧ（又はＳＣＧ）に設定されたｍｅａｓｕｒｅｍｅｎｔ  ｇａｐをＳｅＮＢ（又はＭｅＮＢ）が把握していないと、ＳｅＮＢにおいて、ＵＥの受信機調整時にパケットロスが生じる可能性がある。また、仮にＭｅＮＢからＵＥに一つのｍｅａｓｕｒｅｍｅｎｔ  ｇａｐを設定した場合に、ＳｅＮＢが当該ｍｅａｓｕｒｅｍｅｎｔ  ｇａｐの設定を把握していないと、パケットロスも生じる。
【発明の概要】
【００１１】
本願の実施例は、同一ユーザ機器と接続関係を持つ複数の基地局間の測定ギャップ設定を協調することにより、ＵＥが測定ギャップにおいて測定するときのパケットロスを回避するためのデータ伝送及びその制御方法並びに装置を提供することである。
【００１２】
本願の実施例は、データ伝送制御方法を提供する。ユーザ機器と接続関係を持つソース基地局は、当該ソース基地局で使用される測定ギャップ設定を確定する。前記ソース基地局は、前記ユーザ機器と接続関係を持つターゲット基地局と前記ユーザ機器に前記測定ギャップ設定を送信して、前記測定ギャップ設定に基づいてデータ伝送を行うように前記ターゲット基地局と前記ユーザ機器に指示する。
【００１３】
当該方法において、ユーザ機器と接続関係を持つソース基地局から、当該ソース基地局で使用される測定ギャップ設定を、当該ユーザ機器と接続関係を持つターゲット基地局に送信することによって、ターゲット基地局は、前記測定ギャップ設定に基づいてデータ伝送を行う。よって、ＵＥが測定ギャップにおいて測定するときのパケットロスが回避される。
【００１４】
前記ソース基地局がＭｅＮＢ、前記ターゲット基地局がＳｅＮＢであり、又は、前記ソース基地局がＳｅＮＢ、前記ターゲット基地局がＭｅＮＢであることが好ましい。
【００１５】
本願の実施例は、データ伝送方法を提供する。ユーザ機器と接続関係を持つターゲット基地局は、前記ユーザ機器と接続関係を持つソース基地局で使用される測定ギャップ設定を受信する。前記ターゲット基地局は、前記測定ギャップ設定に基づいてデータ伝送を行う。
【００１６】
当該方法において、ユーザ機器と接続関係を持つターゲット基地局は、当該ユーザ機器と接続関係を持つソース基地局の測定ギャップ設定に基づいて、データ伝送を行うことができる。よって、ＵＥが測定ギャップにおいて測定するときのパケットロスが回避される。
【００１７】
前記ターゲット基地局が、前記測定ギャップ設定に基づいてデータ伝送を行うことは、以下を含むことが好ましい。前記ターゲット基地局は、プロトコルの規定に従い、データ伝送停止の起点を前記測定ギャップ設定の測定ギャップ内で確定する。前記ターゲット基地局は、前記測定ギャップ毎に、前記ＵＥとの間のデータ伝送を前記起点からの所定時間内で停止させる。
【００１８】
前記起点が第１起点と第２起点を含み、前記ターゲット基地局が、前記測定ギャップ毎に、前記ＵＥとの間のデータ伝送を、前記第１起点からの所定時間内及び前記第２起点からの所定時間内で停止させることが好ましい。
【００１９】
前記第１起点と第２起点は、それぞれ前記測定ギャップの開始時刻と終了時刻であることが好ましい。
【００２０】
当該方法において、前記ターゲット基地局は、前記ソース基地局で使用される測定ギャップ設定に基づいて、当該ターゲット基地局で使用される測定ギャップ設定をセットして前記ソース基地局とユーザ機器に送信することを更に含むことが好ましい。
【００２１】
前記ターゲット基地局で使用される測定ギャップ設定は、前記ソース基地局で使用される測定ギャップ設定とは完全に同じく、又は一部同じであることが好ましい。
【００２２】
本願の実施例は、データ伝送方法を提供する。ユーザ機器は、当該ユーザ機器と接続関係を持つソース基地局で使用される測定ギャップ設定を受信する。前記ユーザ機器は、前記測定ギャップ設定に基づいて、当該測定ギャップ設定の機能しないサービスセルでデータ伝送を行う。
【００２３】
当該方法において、ユーザ機器は、前記測定ギャップ設定に基づいて、当該測定ギャップ設定の機能しないサービスセルでデータ伝送を行う。よって、ＵＥが測定ギャップにおいて測定するときのパケットロスが回避される。
【００２４】
前記ユーザ機器が、前記測定ギャップ設定に基づいて、当該測定ギャップ設定の機能しないサービスセルでデータ伝送を行うことは、前記ユーザ機器が、プロトコルの規定に従い、データ伝送停止の起点を前記測定ギャップ設定の測定ギャップ内で確定することと、前記ユーザ機器が、前記測定ギャップ設定の機能しないサービスセルで、前記測定ギャップ毎に、データ伝送を前記起点からの所定時間内で停止させることとを含むことが好ましい。
【００２５】
前記起点が第１起点と第２起点を含み、前記ユーザ機器が、前記測定ギャップ設定の機能しないサービスセルで、前記測定ギャップ毎に、データ伝送を前記第１起点からの所定時間内及び前記第２起点からの所定時間内で停止させることが好ましい。
【００２６】
前記第１起点と第２起点は、それぞれ前記測定ギャップの開始時刻と終了時刻であることが好ましい。
【００２７】
本願の実施例は、ユーザ機器と接続関係を持つソース基地局で使用される測定ギャップ設定を確定するための測定ギャップ設定確定ユニットと、前記ユーザ機器と接続関係を持つターゲット基地局と前記ユーザ機器に前記測定ギャップ設定を送信して、前記測定ギャップ設定に基づいてデータ伝送を行うように前記ターゲット基地局と前記ユーザ機器に指示するための送信ユニットとを含むデータ伝送制御装置を提供する。
【００２８】
当該装置において、ユーザ機器と接続関係を持つソース基地局から、当該ソース基地局で使用される測定ギャップ設定を、当該ユーザ機器と接続関係を持つターゲット基地局に送信することによって、ターゲット基地局は、前記測定ギャップ設定に基づいてデータ伝送を行う。よって、ＵＥが測定ギャップにおいて測定するときのパケットロスが回避される。
【００２９】
本願の実施例は、ユーザ機器と接続関係を持つソース基地局で使用される測定ギャップ設定を受信するための受信ユニットと、前記測定ギャップ設定に基づいてデータ伝送を行うための処理ユニットとを含むデータ伝送装置を提供する。
【００３０】
当該装置において、ユーザ機器と接続関係を持つターゲット基地局は、当該ユーザ機器と接続関係を持つソース基地局の測定ギャップ設定に基づいてデータ伝送を行うことができる。よって、ＵＥが測定ギャップにおいて測定するときのパケットロスが回避される。
【００３１】
処理ユニットは、プロトコルの規定に従い、データ伝送停止の起点を前記測定ギャップ設定の測定ギャップ内で確定し、前記測定ギャップ毎に、前記ＵＥとの間のデータ伝送を前記起点からの所定時間内で停止させることが好ましい。
【００３２】
前記起点が第１起点と第２起点を含み、前記処理ユニットは、前記測定ギャップ毎に、前記ＵＥとの間のデータ伝送を、前記第１起点からの所定時間内及び前記第２起点からの所定時間内で停止させることが好ましい。
【００３３】
前記第１起点と第２起点は、それぞれ前記測定ギャップの開始時刻と終了時刻であることが好ましい。
【００３４】
前記処理ユニットは、更に、前記ソース基地局で使用される測定ギャップ設定に基づいて、前記ユーザ機器と接続関係を持つターゲット基地局で使用される測定ギャップ設定をセットして前記ソース基地局とユーザ機器に送信することが好ましい。
【００３５】
前記ターゲット基地局で使用される測定ギャップ設定は、前記ソース基地局で使用される測定ギャップ設定とは完全に同じく、又は一部同じであることが好ましい。
【００３６】
前記装置は、前記データ伝送制御装置の測定ギャップ設定確定ユニットと送信ユニットとを更に含むことが好ましい。
【００３７】
本願の実施例は、プロセッサと、プロセッサによる制御でデータの送受信をするためのトランシーバと、プロセッサの操作実行に使用されるデータを格納するためのメモリとを含むｅＮＢを提供する。
【００３８】
ｅＮＢをＭｅＮＢとする場合に、プロセッサは、メモリの中のプログラムを読み出して、以下のプロセスを実行する。即ち、ユーザ機器と接続関係を持つソース基地局で使用される測定ギャップ設定を確定する。また、前記ユーザ機器と接続関係を持つターゲット基地局と前記ユーザ機器に前記測定ギャップ設定をトランシーバで送信して、前記測定ギャップ設定に基づいてデータ伝送を行うように前記ターゲット基地局と前記ユーザ機器に指示する。
【００３９】
当該ＭｅＮＢにおいて、ユーザ機器と接続関係を持つソース基地局は、当該ソース基地局で使用される測定ギャップ設定を、当該ユーザ機器と接続関係を持つターゲット基地局に送信することによって、ターゲット基地局は、前記測定ギャップ設定に基づいてデータ伝送を行う。よって、ＵＥが測定ギャップにおいて測定するときのパケットロスが回避される。
【００４０】
また、ｅＮＢをＳｅＮＢとする場合に、プロセッサは、メモリの中のプログラムを読み出して、以下のプロセスを実行する。即ち、ユーザ機器と接続関係を持つソース基地局で使用される測定ギャップ設定をトランシーバで受信して、前記測定ギャップ設定に基づいてデータ伝送を行う。
【００４１】
当該ＳｅＮＢにより、ユーザ機器と接続関係を持つターゲット基地局は、当該ユーザ機器と接続関係を持つソース基地局の測定ギャップ設定に基づいてデータ伝送を行うことができる。よって、ＵＥが測定ギャップにおいて測定するときのパケットロスが回避される。
【００４２】
ｅＮＢをＳｅＮＢとする場合に、前記測定ギャップ設定に基づいてデータ伝送を行うとき、プロセッサは、具体的にメモリの中のプログラムを読み出して、以下のプロセスを実行する。即ち、プロトコルの規定に従い、データ伝送停止の起点を前記測定ギャップ設定の測定ギャップ内で確定し、前記測定ギャップ毎に、前記ＵＥとの間のデータ伝送を前記起点からの所定時間内で停止させることが好ましい。
【００４３】
ｅＮＢをＳｅＮＢとする場合に、前記起点が第１起点と第２起点を含み、前記プロセッサが、前記測定ギャップ毎に、前記ＵＥとの間のデータ伝送を、前記第１起点からの所定時間内及び前記第２起点からの所定時間内で停止させることが好ましい。
【００４４】
ｅＮＢをＳｅＮＢとする場合に、前記第１起点と第２起点は、それぞれ前記測定ギャップの開始時刻と終了時刻であることが好ましい。
【００４５】
ｅＮＢをＳｅＮＢとする場合に、プロセッサは、メモリの中のプログラムを読み出して、以下のプロセスを実行する。即ち、前記ソース基地局で使用される測定ギャップ設定に基づいて、前記ユーザ機器と接続関係を持つターゲット基地局で使用される測定ギャップ設定をセットして前記ソース基地局とユーザ機器に送信することが好ましい。
【００４６】
ｅＮＢをＳｅＮＢとする場合に、前記ターゲット基地局で使用される測定ギャップ設定は、前記ソース基地局で使用される測定ギャップ設定とは完全に同じく、又は一部同じであることが好ましい。
【００４７】
本願の実施例は、ユーザ機器と接続関係を持つソース基地局で使用される測定ギャップ設定を受信するための受信ユニットと、前記測定ギャップ設定に基づいて、当該測定ギャップ設定の機能しないサービスセルでデータ伝送を行うための処理ユニットとを含むデータ伝送装置を提供する。
【００４８】
当該装置において、ユーザ機器は、前記測定ギャップ設定に基づいて、当該測定ギャップ設定の機能しないサービスセルでデータ伝送を行う。よって、ＵＥが測定ギャップにおいて測定するときのパケットロスが回避される。
【００４９】
処理ユニットは、プロトコルの規定に従い、データ伝送停止の起点を前記測定ギャップ設定の測定ギャップ内で確定し、前記測定ギャップ設定の機能しないサービスセルで、前記測定ギャップ毎に、データ伝送を前記起点からの所定時間内で停止させることが好ましい。
【００５０】
前記起点が第１起点と第２起点を含み、前記処理ユニットは、前記測定ギャップ設定の機能しないサービスセルで、前記測定ギャップ毎に、データ伝送を前記第１起点からの所定時間内及び前記第２起点からの所定時間内で停止させることが好ましい。
【００５１】
前記第１起点と第２起点は、それぞれ前記測定ギャップの開始時刻と終了時刻であることが好ましい。
【００５２】
本願の実施例は、プロセッサと、プロセッサによる制御でデータの送受信をするためのトランシーバと、プロセッサの操作実行に使用されるデータを格納するためのメモリを含むユーザ機器を提供する。プロセッサは、メモリの中のプログラムを読み出して、以下のプロセスを実行する。即ち、当該ユーザ機器と接続関係を持つソース基地局で使用される測定ギャップ設定をトランシーバで受信し、前記測定ギャップ設定に基づいて、当該測定ギャップ設定の機能しないサービスセルでデータ伝送を行う。
【００５３】
該ユーザ機器は、前記測定ギャップ設定に基づいて、当該測定ギャップ設定の機能しないサービスセルでデータ伝送を行う。よって、ＵＥが測定ギャップにおいて測定するときのパケットロスが回避される。
【００５４】
前記測定ギャップ設定に基づいて、当該測定ギャップ設定の機能しないサービスセルでデータ伝送を行うとき、プロセッサは、メモリの中のプログラムを読み出して、以下のプロセスを実行することが好ましい。即ち、プロトコルの規定に従い、データ伝送停止の起点を前記測定ギャップ設定の測定ギャップ内で確定し、前記測定ギャップ設定の機能しないサービスセルで、前記測定ギャップ毎に、データ伝送を前記起点からの所定時間内で停止させる。
【００５５】
前記起点が第１起点と第２起点を含み、前記プロセッサは、前記測定ギャップ設定の機能しないサービスセルで、前記測定ギャップ毎に、データ伝送を前記第１起点からの所定時間内及び前記第２起点からの所定時間内で停止させることが好ましい。
【００５６】
前記第１起点と第２起点は、それぞれ前記測定ギャップの開始時刻と終了時刻であることが好ましい。
【図面の簡単な説明】
【００５７】
【図１】従来ＤＣのネットワーク場面模式図である。
【図２】従来ＤＣアーキテクチャーその１の模式図である。
【図３】従来ＤＣアーキテクチャーその２の模式図である。
【図４】本願の実施例による測定ギャップ補助情報の模式図である。
【図５】本願の実施例による測定ギャップ設定協調前のデータ送信停止模式図である。
【図６】本願の実施例による測定ギャップ設定協調後のデータ送信停止模式図である。
【図７】本願の実施例による測定ギャップ設定協調後のデータ送信停止模式図である。
【図８】本願の実施例によるデータ伝送制御方法のフローチャートである。
【図９】本願の実施例によるデータ伝送方法のフローチャートである。
【図１０】本願の実施例による別種類のデータ伝送方法のフローチャートである。
【図１１】本願の実施例によるデータ伝送制御装置の構造模式図である。
【図１２】本願の実施例によるデータ伝送装置の構造模式図である。
【図１３】本願の実施例によるｅＮＢの構造模式図である。
【図１４】本願の実施例による別種類のデータ伝送装置の構造模式図である。
【図１５】本願の実施例によるユーザ機器の構造模式図である。
【発明を実施するための形態】
【００５８】
本願の実施例は、同一ユーザ機器と接続関係を持つ複数の基地局間の測定ギャップ設定を協調することにより、ＵＥが測定ギャップにおいて測定するときのパケットロスを回避するためのデータ伝送制御方法並びに装置を提供する。
【００５９】
本願の実施例において、一つのｅＮＢは、使用する測定ギャップを設定してから、当該測定ギャップ設定をほかの一つのｅＮＢに送信する。当該測定ギャップ設定を受信したｅＮＢは、プロトコルにより規定された時間内に、各測定ギャップの開始と終了時刻において、ＵＥに対しデータ伝送のスケジューリングを行わない。当該測定ギャップ設定を受信したｅＮＢは、一つの測定ギャップの設定も必要になる場合に、当該受信した測定ギャップに基づいて調整して、設定された２つの測定ギャップの区間が完全に重なり又は一部が重なるようにする。
【００６０】
以下、本願の実施例による技術を具体的に紹介する。
【００６１】
実施例１：ＵＥに基づく測定ギャップ設定
本願の実施例によるデータ伝送方法は、以下のステップを含む。
ステップ１）ＭｅＮＢからＵＥに通知する測定ギャップは、全ＵＥにおいて機能するものである。ＭｅＮＢは、当該測定ギャップ設定をＳｅＮＢに送信する。
ここで、測定ギャップが全ＵＥにおいて機能することは、当該ＵＥの全サービス周波数において測定ギャップが機能することである。
ステップ２）ＳｅＮＢは、ステップ１の測定ギャップ設定を受信した後に、全測定ギャップ内において、ＵＥに対してデータの送受信を行わない。
ステップ３）ＭｅＮＢは、当該測定ギャップ設定をＵＥに送信し、全測定ギャップ内において、ＵＥに対してデータの送受信を行わない。
ステップ４）ＵＥは、ステップ３の測定ギャップを受信した後に、全測定ギャップ内において、データの送受信を行わない。
当該測定ギャップ設定は、ＳｅＮＢにより設定されてＭｅＮＢとＵＥに送信されてもよい。プロセスが類似するため、ここでは繰り返して記載しない。
【００６２】
実施例２：セル又はセル群に基づく単一の測定ギャップ設定
本願の実施例によるデータ伝送方法は、以下のステップを含む。
ステップ１）ＭｅＮＢからＵＥに通知する測定ギャップは、ＭＣＧセル群に機能するものである。ＭｅＮＢは、当該測定ギャップ設定（サブフレーム２からサブフレーム７まで）をＳｅＮＢに送信する。
測定ギャップがＭＣＧセル群に機能することは、ＵＥのＭＣＧセル群のサービス周波数において測定ギャップが機能することである。
ステップ２）ＳｅＮＢは、ステップ１のＭＣＧ測定ギャップ設定を受信した後に、図４に示すようにデータ伝送停止処理を行う。
例えば、ＳｅＮＢは、当該測定ギャップの開始時刻（例えば測定ギャップの１つ目のサブフレームであるサブフレーム２）からのプロトコルにより規定された時間内（例えば連続して３つのサブフレーム）において、ＵＥに対しデータの送受信を行わず、当該測定ギャップの終了時刻（例えば測定ギャップの最後のサブフレームであるサブフレーム７）からのプロトコルにより規定された時間内（例えば連続して３つのサブフレーム）において、ＵＥに対しデータの送受信を行わない。
また、例えば、ＳｅＮＢは、当該測定ギャップの２つ目のサブフレーム（即ちサブフレーム３）からのプロトコルにより規定された時間内（例えば連続して３つのサブフレーム）において、ＵＥに対しデータの送受信を行わず、当該測定ギャップの５つ目のサブフレーム（即ちサブフレーム６）からのプロトコルにより規定された時間内（例えば連続して３つのサブフレーム）において、ＵＥに対しデータの送受信を行わない。
ステップ３）ＭｅＮＢは、その測定ギャップ設定をＳｅＮＢに送信した後に、当該測定ギャップ設定をＵＥに送信し、ＭＣＧの測定ギャップ内において、ＭＣＧの全サービス周波数でデータの送受信を行わない。
ステップ４）ＵＥは、ＭＣＧのサービス周波数に対する測定ギャップ設定をＭｅＮＢから受信した後に、ＭＣＧの測定ギャップ内において、ＭＣＧの全サービス周波数でデータの送受信を行わない。ＵＥは、ＳＣＧサービス周波数でのデータ送受信を維持する。
ところで、例えば、ＵＥは、当該測定ギャップの開始時刻（例えば測定ギャップの１つ目のサブフレームであるサブフレーム２）からのプロトコルにより規定された時間内（例えば連続して３つのサブフレーム）において、データの送受信を行わず、当該測定ギャップの終了時刻（例えば測定ギャップの最後のサブフレームであるサブフレーム７）からのプロトコルにより規定された時間内（例えば連続して３つのサブフレーム）において、データの送受信を行わない。
また、例えば、ＵＥは、当該測定ギャップの２つ目のサブフレーム（即ちサブフレーム３）からのプロトコルにより規定された時間内（例えば連続して３つのサブフレーム）に、データの送受信を行わず、当該測定ギャップの５つ目のサブフレーム（即ちサブフレーム６）からのプロトコルにより規定された時間内（例えば連続して３つのサブフレーム）において、データの送受信を行わない。
なお、当該測定ギャップ設定は、ＳｅＮＢにより設定されてＭｅＮＢとＵＥに送信されてもよい。且つ、データ送信停止のルールについても、ＭｅＮＢとＵＥのＭＣＧでのデータ送信停止ルールであってもよく、プロセスが類似するため、ここでは繰り返して記載しない。
当該測定ギャップは、セルに基づいて設定されてもよい。その場合に、他セルでのデータ送信停止も、同様のルールに従う。プロセスが類似するため、ここでは繰り返して記載しない。
【００６３】
実施例３：セル群に基づく複数の測定ギャップ設定を、すべての測定ギャップが重なるように協調する。
ＳｅＮＢとＭｅＮＢにおいて測定ギャップが独立的に設定されるため、当該２つの測定ギャップ設定の協調前に、ＵＥは、ＭＣＧとＳＣＧにおいて、より多くのサーブフレームでデータ送受信を停止する必要がある。図５を参考する。
本実施例におけるＭｅＮＢ、ＳｅＮＢ、及びＵＥのデータ送信停止ルールは、実施例２と同一である。
本願の実施例によるデータ伝送方法は、以下のステップを含む。
ステップ１）ＭｅＮＢからＵＥに通知する測定ギャップは、ＭＣＧセル群に機能するものである。ＭｅＮＢは、当該ＭＣＧ測定ギャップ設定（サブフレーム２からサブフレーム７まで）をＳｅＮＢに送信する。
ステップ２）ＳｅＮＢは、ステップ１のＭＣＧ測定ギャップ設定を受信した後に、図６に示すように、ＳＣＧ測定ギャップ設定に対し、ＭＣＧ測定ギャップ設定と完全に重なるように調整する。ＳｅＮＢは、ＳＣＧのサービス周波数に対し、当該ＭＣＧ測定ギャップの開始時刻（例えば測定ギャップの１つ目のサブフレームであるサブフレーム２）からのプロトコルにより規定された時間内（例えば連続して３つのサブフレーム）において、ＵＥに対しデータの送受信を行わず、当該ＭＣＧ測定ギャップの終了時刻（例えば測定ギャップの最後のサブフレームであるサブフレーム７）からのプロトコルにより規定された時間内（例えば連続して３つのサブフレーム）において、ＵＥに対しデータの送受信を行わない。同時に、ＳＣＧの測定ギャップ内において、ＳｅＮＢは、ＵＥに対しデータの送受信を行わない。
ＳｅＮＢは、自身で設定した測定ギャップ設定を再びＭｅＮＢとＵＥに送信する。
ステップ３）ＭｅＮＢは、そのＭＣＧ測定ギャップ設定をＳｅＮＢに送信した後に、当該ＭＣＧ測定ギャップ設定をＵＥに送信する。
ステップ４）ＭｅＮＢは、ステップ２のＳＣＧ測定ギャップ設定を受信した後に、図６に示すように、ＭＣＧのサービス周波数に対し、当該ＳＣＧ測定ギャップの開始時刻（例えば測定ギャップの１つ目のサブフレームであるサブフレーム２）からのプロトコルにより規定された時間内（例えば連続して３つのサブフレーム）において、ＵＥに対しデータの送受信を行わず、当該ＳＣＧ測定ギャップの終了時刻（例えば測定ギャップの最後のサブフレームであるサブフレーム７）からのプロトコルにより規定された時間内（例えば連続して３つのサブフレーム）において、ＵＥに対しデータの送受信を行わない。同時に、ＭＣＧの測定ギャップ内において、ＭｅＮＢは、ＵＥに対しデータの送受信を行わない。
ステップ５）ＵＥは、ステップ３とステップ４で送信される、ＭＣＧとＳＣＧのサービス周波数に対する測定ギャップを受信した後に、ＳＣＧのサービス周波数に対し、当該ＭＣＧ測定ギャップの開始時刻（例えば測定ギャップの１つ目のサブフレームであるサブフレーム２）からのプロトコルにより規定された時間内（例えば連続して３つのサブフレーム）において、データの送受信を行わず、当該ＭＣＧ測定ギャップの終了時刻（例えば測定ギャップの最後のサブフレームであるサブフレーム７）からのプロトコルにより規定された時間内（例えば連続して３つのサブフレーム）に、データの送受信を行わず、同時に、ＳＣＧの測定ギャップ内において、データの送受信を行わない。
一方、ＵＥは、ＭＣＧのサービス周波数に対し、当該ＳＣＧ測定ギャップの開始時刻（例えば測定ギャップの１つ目のサブフレームであるサブフレーム２）からのプロトコルにより規定された時間内（例えば連続して３つのサブフレーム）において、データの送受信を行わず、当該ＳＣＧ測定ギャップの終了時刻（例えば測定ギャップの最後のサブフレームであるサブフレーム７）からのプロトコルにより規定された時間内（例えば連続して３つのサブフレーム）において、データの送受信を行わず、同時に、ＭＣＧの測定ギャップ内において、データの送受信を行わない。
なお、測定ギャップ設定は、ＳｅＮＢにより設定されてＭｅＮＢとＵＥに送信され、ＭｅＮＢにより測定ギャップの調整をしてもよく、プロセスが類似するため、ここでは繰り返して記載しない。当該測定ギャップは、セルに基づいて設定されてもよい。その場合に、他セルでのデータ送信停止も、同様のルールに従うが、プロセスが類似するため、ここでは繰り返して記載しない。
【００６４】
実施例４：セル群に基づく複数の測定ギャップ設定を、一部の測定ギャップが重なるように協調する。
ＳｅＮＢとＭｅＮＢにおいて測定ギャップが独立的に設定されるため、当該２つの測定ギャップ設定の協調前に、ＵＥは、ＭＣＧとＳＣＧにおいて、より多くのサーブフレームでデータ送受信を停止する必要がある。図５を参考する。
本実施例におけるＭｅＮＢ、ＳｅＮＢ、及びＵＥのデータ送信停止ルールは、実施例２と同一である。
本願の実施例によるデータ伝送方法は、以下のステップを含む。
ステップ１）ＭｅＮＢからＵＥに通知する測定ギャップは、ＭＣＧセル群に機能するものである。ＭｅＮＢは、当該ＭＣＧ測定ギャップ設定をＳｅＮＢに送信する。
ステップ２）ＳｅＮＢは、ステップ１のＭＣＧ測定ギャップ設定（サブフレーム４からサブフレーム９まで）を受信した後に、図７に示すように、そのＳＣＧ測定ギャップ設定に対し、ＭＣＧ測定ギャップ設定と一部重なり、即ち、ＳＣＧ測定ギャップ設定のサブフレーム２からサブフレーム７までが重なるように調整する。ＳｅＮＢは、ＳＣＧのサービス周波数に対し、当該ＭＣＧ測定ギャップの開始時刻（例えば測定ギャップの１つ目のサブフレームであるサブフレーム４）からのプロトコルにより規定された時間内（例えば連続して３つのサブフレーム）において、ＵＥに対しデータの送受信を行わず、当該ＭＣＧ測定ギャップの終了時刻（例えば測定ギャップの最後のサブフレームであるサブフレーム９）からのプロトコルにより規定された時間内（例えば連続して３つのサブフレーム）において、ＵＥに対しデータの送受信を行わず、同時に、ＳＣＧの測定ギャップ内において、ＵＥに対しデータの送受信を行わない。
ＳｅＮＢは、自身で設定した測定ギャップ設定を再びＭｅＮＢとＵＥに送信する。
ステップ３）ＭｅＮＢは、そのＭＣＧ測定ギャップ設定をＳｅＮＢに送信した後に、当該ＭＣＧ測定ギャップ設定をＵＥに送信する。
ステップ４）ＭｅＮＢは、ステップ２のＳＣＧ測定ギャップ設定を受信した後に、図７に示すように、ＭＣＧのサービス周波数に対し、当該ＳＣＧ測定ギャップの開始時刻（例えば測定ギャップの１つ目のサブフレームであるサブフレーム２）からのプロトコルにより規定された時間内（例えば連続して３つのサブフレーム）において、ＵＥに対しデータの送受信を行わず、当該ＳＣＧ測定ギャップの終了時刻（例えば測定ギャップの最後のサブフレームであるサブフレーム７）からのプロトコルにより規定された時間内（例えば連続して３つのサブフレーム）において、ＵＥに対しデータの送受信を行わず、同時に、ＭＣＧの測定ギャップ内において、ＵＥに対しデータの送受信を行わない。
ステップ５）ＵＥは、ステップ３とステップ４で送信される、ＭＣＧとＳＣＧのサービス周波数に対する測定ギャップ設定を受信した後に、ＳＣＧのサービス周波数に対し、当該ＭＣＧ測定ギャップの開始時刻（例えば測定ギャップの１つ目のサブフレームであるサブフレーム４）からのプロトコルにより規定された時間内（例えば連続して３つのサブフレーム）において、データの送受信を行わず、当該ＭＣＧ測定ギャップの終了時刻（例えば測定ギャップの最後のサブフレームであるサブフレーム９）からのプロトコルにより規定された時間内（例えば連続して３つのサブフレーム）において、データの送受信を行わず、同時に、ＳＣＧの測定ギャップ内において、データの送受信を行わない。
一方、ＵＥは、ＭＣＧのサービス周波数に対し、当該ＳＣＧ測定ギャップの開始時刻（例えば測定ギャップの１つ目のサブフレームであるサブフレーム２）からのプロトコルにより規定された時間内（例えば連続して３つのサブフレーム）において、データの送受信を行わず、当該ＳＣＧ測定ギャップの終了時刻（例えば測定ギャップの最後のサブフレームであるサブフレーム７）からのプロトコルにより規定された時間内（例えば連続して３つのサブフレーム）において、データの送受信を行わず、同時に、ＭＣＧの測定ギャップ内に、データの送受信を行わない。
なお、測定ギャップ設定は、ＳｅＮＢにより設定されてＭｅＮＢとＵＥに送信され、ＭｅＮＢにより測定ギャップの調整をしてもよく、プロセスが類似するため、ここでは繰り返して記載しない。当該測定ギャップは、セルに基づいて設定されてもよい。その場合に、他セルでのデータ送信停止も、同様のルールに従うが、プロセスが類似するため、ここでは繰り返して記載しない。
【００６５】
このように、ネットワーク側において、図８を参考して、本願の実施例によるデータ伝送制御方法は、以下のステップを含む。
Ｓ１０１において、ユーザ機器と接続関係を持つソース基地局は、当該ソース基地局で使用される測定ギャップ設定を確定する。
Ｓ１０２において、前記ソース基地局は、前記ユーザ機器と接続関係を持つターゲット基地局と前記ユーザ機器に前記測定ギャップ設定を送信して、前記測定ギャップ設定に基づいてデータ伝送を行うように前記ターゲット基地局と前記ユーザ機器に指示する。
【００６６】
当該方法において、ユーザ機器と接続関係を持つソース基地局から、当該ソース基地局で使用される測定ギャップ設定を、当該ユーザ機器と接続関係を持つターゲット基地局に送信することによって、ターゲット基地局は、前記測定ギャップ設定に基づいてデータ伝送を行う。よって、ＵＥが測定ギャップにおいて測定するときのパケットロスが回避される。
【００６７】
前記ソース基地局がＭｅＮＢ、前記ターゲット基地局がＳｅＮＢであり、又は、前記ソース基地局がＳｅＮＢ、前記ターゲット基地局がＭｅＮＢであることが好ましい。
【００６８】
図９を参考する。ネットワーク側において、本願の実施例によるデータ伝送方法は、以下のステップを含む。
Ｓ２０１において、ユーザ機器と接続関係を持つターゲット基地局は、前記ユーザ機器と接続関係を持つソース基地局で使用される測定ギャップ設定を受信する。
Ｓ２０２において、前記ターゲット基地局は、前記測定ギャップ設定に基づいてデータ伝送を行う。
【００６９】
当該方法により、ユーザ機器と接続関係を持つターゲット基地局は、当該ユーザ機器と接続関係を持つソース基地局の測定ギャップ設定に基づいてデータ伝送を行うことができる。ＵＥが測定ギャップにおいて測定するときのパケットロスが回避される。
【００７０】
前記ターゲット基地局が、前記測定ギャップ設定に基づいてデータ伝送を行うことは、以下を含むことが好ましい。前記ターゲット基地局は、プロトコルの規定に従い、データ伝送停止の起点を前記測定ギャップ設定の測定ギャップ内で確定する。また、前記ターゲット基地局は、前記測定ギャップ毎に、前記ＵＥとの間のデータ伝送を前記起点からの所定時間内で停止させる。
【００７１】
前記起点が第１起点と第２起点を含み、前記ターゲット基地局は、前記測定ギャップ毎に、前記ＵＥとの間のデータ伝送を、前記第１起点からの所定時間内及び前記第２起点からの所定時間内で停止させることが好ましい。
【００７２】
前記第１起点と第２起点は、それぞれ前記測定ギャップの開始時刻と終了時刻であることが好ましい。
【００７３】
当該方法において、前記ターゲット基地局は、前記ソース基地局で使用される測定ギャップ設定に基づいて、当該ターゲット基地局で使用される測定ギャップ設定をセットして前記ソース基地局とユーザ機器に送信することを更に含むことが好ましい。
【００７４】
前記ターゲット基地局で使用される測定ギャップ設定は、前記ソース基地局で使用される測定ギャップ設定とは完全に同じく、又は一部同じであることが好ましい。
【００７５】
対応して、ＵＥ側において、本願の実施例によるデータ伝送方法は、以下のステップを含む。図１０を参考する。
ステップＳ３０１において、ユーザ機器は、当該ユーザ機器と接続関係を持つソース基地局で使用される測定ギャップ設定を受信する。
ステップ３０２において、前記ユーザ機器は、前記測定ギャップ設定に基づいて、当該測定ギャップ設定の機能しないサービスセルでデータ伝送を行う。
ここで、当該測定ギャップ設定の機能しないサービスセルとは、当該測定ギャップ設定が当該サービスセルの周波数に対し機能しない。
【００７６】
当該方法において、ユーザ機器は、前記測定ギャップ設定に基づいて、当該測定ギャップ設定の機能しないサービスセルでデータ伝送を行う。よって、ＵＥが測定ギャップにおいて測定するときのパケットロスが回避される。
【００７７】
前記ユーザ機器が、前記測定ギャップ設定に基づいて、当該測定ギャップ設定の機能しないサービスセルでデータ伝送を行うことは、以下を含むことが好ましい。前記ユーザ機器は、プロトコルの規定に従い、データ伝送停止の起点を前記測定ギャップ設定の測定ギャップ内で確定する。また、前記ユーザ機器は、前記測定ギャップ設定の機能しないサービスセルで、前記測定ギャップ毎に、データ伝送を前記起点からの所定時間内で停止させる。
【００７８】
前記起点が第１起点と第２起点を含み、前記ユーザ機器は、前記測定ギャップ設定の機能しないサービスセルで、前記測定ギャップ毎に、データ伝送を前記第１起点からの所定時間内及び前記第２起点からの所定時間内で停止させることが好ましい。
【００７９】
前記第１起点と第２起点は、それぞれ前記測定ギャップの開始時刻と終了時刻であることが好ましい。
【００８０】
図１１を参考する。上記方法に対応して、ネットワーク側において、本願の実施例は、ユーザ機器と接続関係を持つソース基地局で使用される測定ギャップ設定を確定するための測定ギャップ設定確定ユニット１１と、前記ユーザ機器と接続関係を持つターゲット基地局と前記ユーザ機器に前記測定ギャップ設定を送信して、前記測定ギャップ設定に基づいてデータ伝送を行うように前記ターゲット基地局と前記ユーザ機器に指示するための送信ユニット１２とを含むデータ伝送制御装置を提供する。
【００８１】
当該装置において、ユーザ機器と接続関係を持つソース基地局から、当該ソース基地局で使用される測定ギャップ設定を、当該ユーザ機器と接続関係を持つターゲット基地局に送信することによって、ターゲット基地局は、前記測定ギャップ設定に基づいてデータ伝送を行う。よって、ＵＥが測定ギャップにおいて測定するときのパケットロスが回避される。
【００８２】
当該データ伝送制御装置は、基地局であることが好ましい。
【００８３】
図１２を参考する。ネットワークにおいて、本願の実施例は、ユーザ機器と接続関係を持つソース基地局で使用される測定ギャップ設定を受信するための受信ユニット２１と、前記測定ギャップ設定に基づいてデータ伝送を行うための処理ユニット２２とを含むデータ伝送装置を提供する。
【００８４】
当該装置において、ユーザ機器と接続関係を持つターゲット基地局は、当該ユーザ機器と接続関係を持つソース基地局の測定ギャップ設定に基づいてデータ伝送を行うことができる。よって、ＵＥが測定ギャップにおいて測定するときのパケットロスが回避される。
【００８５】
処理ユニット２２は、プロトコルの規定に従い、データ伝送停止の起点を前記測定ギャップ設定の測定ギャップ内で確定し、前記測定ギャップ毎に、前記ＵＥとの間のデータ伝送を前記起点からの所定時間内で停止させることが好ましい。
【００８６】
前記起点が第１起点と第２起点を含み、前記処理ユニット２２は、前記測定ギャップ毎に、前記ＵＥとの間のデータ伝送を、前記第１起点からの所定時間内及び前記第２起点からの所定時間内で停止させることが好ましい。
【００８７】
前記第１起点と第２起点は、それぞれ前記測定ギャップの開始時刻と終了時刻であることが好ましい。
【００８８】
前記処理ユニット２２は、更に、前記ソース基地局で使用される測定ギャップ設定に基づいて、前記ユーザ機器と接続関係を持つターゲット基地局で使用される測定ギャップ設定をセットして前記ソース基地局とユーザ機器に送信することが好ましい。
【００８９】
前記ターゲット基地局で使用される測定ギャップ設定は、前記ソース基地局で使用される測定ギャップ設定とは完全に同じく、又は一部同じであることが好ましい。
【００９０】
前記装置は、前記の測定ギャップ設定確定ユニット１１と送信ユニット１２とを更に含み、即ち、上記データ伝送制御装置の機能を有することが好ましい。
【００９１】
当該データ伝送装置は、基地局であってもよく、上記データ伝送制御装置とデータ伝送装置の全機能を有する基地局であることが好ましい。
【００９２】
図１３を参考する。本願の実施例は、プロセッサ１３００と、プロセッサ１３００による制御でデータの送受信をするためのトランシーバ１３１０と、プロセッサ１３００の操作実行に使用されるデータを格納するためのメモリ１３２０を含むｅＮＢを提供する。
【００９３】
ここで、図１３において、バスアーキテクチャは、任意数の相互接続するバスとブリッジを含み、具体的に、プロセッサ１３００をはじめとする１つ又は複数のプロセサとメモリ１３２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー１３１０は、複数の部品であってもよく、即ち送信機と受信機を含み、伝送媒体でほかの各種類の装置と通信するユニットとして提供される。プロセッサ１３００は、バスアーキテクチャと通常の処理を管理する。メモリ１３２０は、プロセッサ１３００による作業時に使用されるデータを記憶できる。
【００９４】
ｅＮＢをＭｅＮＢとする場合に、プロセッサ１３００は、メモリの中のプログラムを読み出して、以下のプロセスを実行する。即ち、ユーザ機器と接続関係を持つソース基地局で使用される測定ギャップ設定を確定し、前記ユーザ機器と接続関係を持つターゲット基地局と前記ユーザ機器に前記測定ギャップ設定をトランシーバ１３１０で送信して、前記測定ギャップ設定に基づいてデータ伝送を行うように前記ターゲット基地局と前記ユーザ機器に指示する。
【００９５】
当該ＭｅＮＢにおいて、ユーザ機器と接続関係を持つソース基地局から、当該ソース基地局で使用される測定ギャップ設定を、当該ユーザ機器と接続関係を持つターゲット基地局に送信することによって、ターゲット基地局は、前記測定ギャップ設定に基づいてデータ伝送を行う。よって、ＵＥが測定ギャップにおいて測定するときのパケットロスが回避される。
【００９６】
一方、ｅＮＢをＳｅＮＢとする場合に、プロセッサ１３００は、メモリの中のプログラムを読み出して、以下のプロセスを実行する。即ち、ユーザ機器と接続関係を持つソース基地局で使用される測定ギャップ設定をトランシーバ１３１０で受信して、前記測定ギャップ設定に基づいてデータ伝送を行う。
【００９７】
当該ＳｅＮＢにより、ユーザ機器と接続関係を持つターゲット基地局は、当該ユーザ機器と接続関係を持つソース基地局の測定ギャップ設定に基づいてデータ伝送を行うことができる。よって、ＵＥが測定ギャップにおいて測定するときのパケットロスが回避される。
【００９８】
図１４を参考する。対応して、端末側において、本願の実施例は、ユーザ機器と接続関係を持つソース基地局で使用される測定ギャップ設定を受信するための受信ユニット４１と、前記測定ギャップ設定に基づいて、当該測定ギャップ設定の機能しないサービスセルでデータ伝送を行うための処理ユニット４２とを含むデータ伝送装置を提供する。
【００９９】
当該装置において、ユーザ機器は、前記測定ギャップ設定に基づいて、当該測定ギャップ設定の機能しないサービスセルでデータ伝送を行う。よって、ＵＥが測定ギャップにおいて測定するときのパケットロスが回避される。
【０１００】
処理ユニット４２は、プロトコルの規定に従い、データ伝送停止の起点を前記測定ギャップ設定の測定ギャップ内で確定し、前記測定ギャップ設定の機能しないサービスセルで、前記測定ギャップ毎に、データ伝送を前記起点からの所定時間内で停止させることが好ましい。
【０１０１】
前記起点が第１起点と第２起点を含み、前記処理ユニット４２は、前記測定ギャップ設定の機能しないサービスセルで、前記測定ギャップ毎に、データ伝送を前記第１起点からの所定時間内及び前記第２起点からの所定時間内で停止させることが好ましい。
【０１０２】
前記第１起点と第２起点は、それぞれ前記測定ギャップの開始時刻と終了時刻であることが好ましい。
【０１０３】
図１５を参考する。本願の実施例は、メモリ１５２０の中のプログラムを読み出して、以下のプロセスを実行するためのプロセッサ１５００と、プロセッサ１５００による制御でデータの送受信をするためのトランシーバ１５１０とを含むユーザ機器を提供する。プロセッサ１５００が実行するプロセスは、当該ユーザ機器と接続関係を持つソース基地局で使用される測定ギャップ設定をトランシーバ１５１０で受信し、前記測定ギャップ設定に基づいて、当該測定ギャップ設定の機能しないサービスセルでデータ伝送を行う。
【０１０４】
ここで、図１５において、バスアーキテクチャは、任意数の相互接続するバスとブリッジを含み、具体的に、プロセッサ１５００をはじめとする１つ又は複数のプロセッサとメモリ１５２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー１５１０は、複数の部品であってもよく、即ち送信機と受信機を含み、伝送媒体でほかの各種類の装置と通信するユニットとして提供される。ユーザ機器によっては、ユーザインタフェース１５３０は、内部接続や外部接続する機器のインタフェースであってもよい。接続する機器は、キーパッド、ディスプレイ、スピーカ、マイクロフォン、ジョイスティックなどを含むが、それらに限られない。
【０１０５】
プロセッサ１５００は、バスアーキテクチャと通常の処理を管理する。メモリ１５２０は、プロセッサ１５００による作業時に使用されるデータを記憶できる。
【０１０６】
当該ユーザ機器は、前記測定ギャップ設定に基づいて、当該測定ギャップ設定の機能しないサービスセルでデータ伝送を行う。よって、ＵＥが測定ギャップにおいて測定するときのパケットロスが回避される。
【０１０７】
以上の記載をまとめると、本願の実施例において、ソースｅＮＢは、使用する測定ギャップを設定した後に、当該測定ギャップ設定をターゲットｅＮＢに送信する。ターゲットｅＮＢは、プロトコルにより規定された時間内に、各測定ギャップの開始と終了時刻において、ＵＥに対しデータ伝送のスケジューリングを行わない。ターゲットｅＮＢは、一つの測定ギャップの設定も必要になる場合に、ソースｅＮＢの測定ギャップに基づいて設定し、２つのｅＮＢに設定された測定ギャップの区間が完全に重なり又は一部重なるようにする。よって、マクロセルによるカバーにおいて、大量のピコセルが同時に配置される場合に、ＵＥは、複数のセル又はｅＮＢに同時に接続することができる。同時に、ＵＥのすべてのサービスセル又は一部のサービスセルに対する測定ギャップ設定は、ネットワーク側から設定される。それぞれ設定された測定ギャップ設定を各基地局に通知し、測定設定の周期と区間を協調することにより、ＵＥのパケットロスを減少させることができ、同時にＵＥのデータレートを向上させる。
【０１０８】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、光学メモリなどを含むが、それらに限らない）で実施されるコンピュータプログラムプロダクトの形態を取り得る。
【０１０９】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１１０】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１１１】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１１２】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
0006509247.tif 000003
【図２】
0006509247.tif 000004
【図３】
0006509247.tif 000005
【図４】
0006509247.tif 000006
【図５】
0006509247.tif 000007
【図６】
0006509247.tif 000008
【図７】
0006509247.tif 000009
【図８】
0006509247.tif 000010
【図９】
0006509247.tif 000011
【図１０】
0006509247.tif 000012
【図１１】
0006509247.tif 000013
【図１２】
0006509247.tif 000014
【図１３】
0006509247.tif 000015
【図１４】
0006509247.tif 000016
【図１５】
0006509247.tif 000017